(57)【要約】【課題】電気湯沸かし器の内容器の出口管と、揚水ポンプの入口管とを接続する接続チューブに改良を加えることにより、上記出口管と入口管端部相互がオーバラップしていも、或いは位置ズレがあっても、コンパクトで確実な接続構造を実現することである。【解決手段】内容器２の出口管３と揚水ポンプ４の入口管５を同芯状態に配置し、上記出口管３と入口管５を接続チューブ６により接続してなる電気湯沸かし器において、上記出口管３と入口管５が異径管であり、かつそれらの自由端相互がオーバラップして嵌合され、上記接続チューブ６が上記出口管３と入口管５の径に対応した内外二重の同芯状態に嵌合された大径チューブ１２と小径チューブ１３を有し、これら大径チューブ１２と小径チューブ１３の一端部相互間を変形緩衝チューブ１４により連結一体化した構成とした。【選択図】　図１
2004081334.tif 000002
【特許請求の範囲】
【請求項１】
湯沸し器本体の内部に内容器を設け、その内容器の底面に出口管を設けるとともに、その出口管に対向した揚水ポンプの入口管を同芯状態に配置し、上記出口管と入口管を接続チューブにより接続してなる電気湯沸かし器において、上記出口管と入口管が異径管であり、かつそれらの自由端相互がオーバラップ又は接近して嵌合され、上記接続チューブが上記出口管と入口管の径に対応した内外二重の同芯状態に嵌合された大径チューブと小径チューブを有し、これら大径チューブと小径チューブの一端部相互間を変形緩衝チューブにより連結一体化したことを特徴とする電気湯沸かし器。
【請求項２】
上記入口管が出口管より大径に形成されるとともに、上記大径チューブの自由端部を含む内径面を大径接続口としてこれに上記入口管を接続するとともに、上記小径チューブの変形緩衝チューブ側端部を含む内径面を小径接続口としてこれに上記出口管を接続したことを特徴とする請求項１に記載の電気湯沸かし器。
【請求項３】
上記大径接続口に接続された入口管の内径面と小径チューブの外径面との間に一定以上のすき間があることを特徴とする請求項１又は２に記載の電気湯沸かし器。
【請求項４】
上記の変形緩衝チューブは、大径チューブの内径面と小径チューブの外径面間に波形の屈曲部を設けてなることを特徴とする請求項１から３のいずれかに記載の電気湯沸かし器。
【発明の詳細な説明】
【０００１】
【発明の属する技術分野】
この発明は、電気湯沸かし器に関し、特に異径管の接続チューブを備えたものに関するものである。
【０００２】
【従来の技術】
電気湯沸かし器の内容器の底面に設けられた出口管と、その下方に設けられた揚水ポンプの入口管とは、従来からエルボ形の柔軟な接続チューブにより接続することが行われている（例えば、特開平８−４７４５６号公報参照）。この場合の出口管と入口管とは同一径であり、上下方向に一定の間隔をおいて配置される。接続チューブはその両端部を若干拡径させ、それぞれ出口管と入口管の外周面に嵌合させている。
【０００３】
また、一般に、同芯状態に突き合せ状に配置された異径管相互を接続する異径管接続チューブとしては、一端部に大径部、他端部に小径部を設け、両者の間にテーパー部を設けたものが知られている（例えば、特開２０００−６２０２１号公報参照）。
【０００４】
【発明が解決しようとする課題】
しかしながら、同一径の出口管と入口管の間をエルボ形の接続チューブで接続された前記の電気湯沸かし器は、出口管と入口管との間に接続チューブを介在するための間隔を置く必要があるため、電気湯沸かし器のコンパクト化の妨げとなる問題があった。また、組立時において出口管と入口管の径方向のずれ（芯ズレ）があると、接続チューブに「こじり」や「のび」等の歪が生じ、水漏れやすき間腐食の原因になる。また、長さ方向に離れる方向のずれがあると、接続チューブの掛かり代が少なくなり、接続が不安定になる問題もある。
【０００５】
また、前記のテーパー部を有する異径管接続チューブを用いるものも、前記の場合と同様に、出口管と入口管とが長さ方向に一定以上のすき間がある場合にしか用いることができず、コンパクト化を妨げる問題がある。
【０００６】
そこで、この発明は、出口管と入口管の自由端部相互がオーバラップ又は接近するようなコンパトな設計がとられる場合、及び両者間に芯ズレ等の不整合があるときにも柔軟に対応し、確実な接続が維持できるようにした接続チューブを有する電気湯沸かし器を提供することを課題とする。
【０００７】
【課題を解決するための手段】
上記の課題を解決するために、この発明は、湯沸し器本体の内部に内容器を設け、その内容器の底面に出口管を設けるとともに、その出口管に対向した揚水ポンプの入口管を同芯状態に配置し、上記出口管と入口管を接続チューブにより接続してなる電気湯沸かし器において、上記出口管と入口管が異径管であり、かつそれらの自由端相互がオーバラップ又は接近して嵌合され、上記接続チューブが上記出口管と入口管の径に対応した内外二重の同芯状態に嵌合された大径チューブと小径チューブを有し、これら大径チューブと小径チューブの一端部相互間を変形緩衝チューブにより連結一体化した構成を採用した。
【０００８】
上記の構成によると、出口管と入口管の自由端部が相互にオーバラップ又は接近している場合にも、接続することができる。また、両者間に芯ズレ等の不整合がある場合は、変形緩衝チューブが自在に変形して吸収する。また、その変形緩衝チューブの部分が出口管、入口管相互の振動の伝播を吸収緩和する。なお、上記の出口管と入口管は、いずれか一方が大径であればよい。
【０００９】
また、上記入口管が出口管より大径に形成されるとともに、上記大径チューブの自由端部を含む内径面を大径接続口としてこれに上記入口管を接続するとともに、上記小径チューブの変形緩衝チューブ側端部を含む内径面を小径接続口としてこれに上記出口管を接続した構成を採ることができる。この場合は、入口管が出口管より大径に形成される場合である。
【００１０】
その他、上記大径接続口に接続された入口管の内径面と小径チューブの外径面との間に一定以上のすき間がある構成や、上記の変形緩衝チューブは、大径チューブの内径面と小径チューブの外径面間に波形の屈曲部を設けてなる構成を採用することができる。
【００１１】
【発明の実施の形態】
以下、この発明の実施形態を添付図面に基づいて説明する。図１（ａ）（ｂ）は電気ポットの本体１の内部に収納された内容器２の底部に設けた出口管３と、揚水ポンプ４の入口管５との管を接続チューブ６により接続した部分を示している。出口管３は上下方向の直管であり、内容器２の底部に貫通され溶接により接合されたものである。揚水ポンプ４の入口管５は、上向きに屈曲したエルボ状のものであり、前記の出口管３より大径である。出口管３と入口管５の自由端相互は同芯状態、かつ出口管３が径方向に所要のすき間を置いた状態で内側に挿入され、上下方向（管の長さ方向）に一定範囲のオーバラップ部分Ｐを有するように配置される。
【００１２】
その他、図１（ａ）において、７は揚水管、８はヒーター、図１（ｂ）において、９は前記の入口管５に設けられた差込み規制のための突条、１１は揚水ポンプ４の吐出口であり、前記の揚水管７の下端部に接続される。
【００１３】
前記の接続チューブ６は、シリコーン樹脂等の柔軟な合成樹脂により形成され、図２（ａ）（ｂ）に示すように、内外二重の同芯状態に嵌合された大径チューブ１２と小径チューブ１３の一端部相互間に変形緩衝チューブ１４を設け、一体化したものである。上記大径チューブ１２の自由端部を含む内径面を大径管接続口１５とするとともに、上記小径チューブ１３の変形緩衝チューブ側端部を含む内径面を小径管接続口１６としている。上記の大径チューブ１２の内径と小径チューブ１３の外径に一定以上のすき間ｗがある。このすき間ｗは、入口管５の肉厚より大きく形成される。
【００１４】
また、上記の変形緩衝チューブ１４は、大径チューブ１２の内径面と小径チューブ１３の外径面との間に各チューブ１２、１３と同芯円となる波形の屈曲部を設けてなるものであり、屈曲変形が容易なように、比較的薄肉に形成されている。また、変形緩衝チューブ１４の付け根部となる大径チューブ１２の内径面及び小径チューブ１３の外径面には、それぞれヌスミ１７、１８が設けられ、該変形緩衝チューブ１４の付け根部に柔軟性を付与している。
【００１５】
なお、大径チューブ１２と小径チューブ１３の各自由端部は、寸法ｓだけ小径チューブ１３の自由端部の方が短く形成される。これは、大径管接続口１５と小径管接続口１６の実質的な接続長さＡを等しくするためである。
【００１６】
前記の電気ポットにおいては、揚水ポンプ４の入口管５が接続チューブ６の大径管接続口１５にその下方（自由端側）から挿入され、また、内容器２の出口管３が小径管接続口１６にその上方（変形緩衝チューブ側端部）から挿入される。入口管５及び出口管３のいずれも、大径管接続口１５、小径管接続口１６において所要の圧縮弾性が作用した状態で接続される。
【００１７】
図３（ａ）（ｂ）は、出口管３と入口管５との長さ方向の相対的なズレにより、変形緩衝チューブ１４が上下方向にａ又はｂだけ変形した様子を示す。この場合、入口管５の内径面と、小径チューブ１３の外径面に所要のすき間ｗ’（＜ｗ）が存在する。また、図３（ｃ）は、出口管３と入口管５の径方向への芯ズレにより、前記のすき間ｗ’の存在により径方向にｃだけ変形した様子を示す。
【００１８】
なお、前記の変形緩衝チューブ１４は、上記のように出口管３と入口管５の位置ズレを吸収するのみならず、出口管３と入口管５相互間に伝播する振動を吸収緩和する作用がある。
【００１９】
なお、図３では、大径管である入口管５と小径管である出口管３とが、長さ方向に大きくオーバラップした状態で接続した状態を示しているが、図４（ａ）に示したように、そのオーバラップ量Ｂが少ない場合や、同図（ｂ）に示すように、オーバラップ量Ｂがない場合、即ち、入口管５と出口管３とが接近している場合もあり得る。
【００２０】
【発明の効果】
以上のように、この発明に係る電気湯沸かし器は、その内容器の出口管と揚水ポンプの入口管の自由端部相互がオーバラップしているか、又は接近している場合においても両者を接続することができ、コンパクトな接続構造を実現することができる。また、両者間に長さ方向又は半径方向の位置ズレがあっても、変形緩衝チューブにおいて吸収することができ、確実な接続構造を実現することができる。また、変形緩衝チューブの存在により、出口管と入口管相互間の振動の伝播を吸収緩和することができる。
【図面の簡単な説明】
【図１】（ａ）実施形態の断面図
（ｂ）（ａ）図のｂ−ｂ線の拡大断面図
【図２】（ａ）接続チューブの断面図
（ｂ）接続チューブの平面図
【図３】（ａ）〜（ｃ）各種接続状態の断面図
【図４】（ａ）（ｂ）各種接続状態の断面図
【符号の説明】
１　本体
２　内容器
３　出口管
４　揚水ポンプ
５　入口管
６　接続チューブ
７　揚水管
８　ヒーター
９　突条
１１　吐出口
１２　大径チューブ
１３　小径チューブ
１４　変形緩衝チューブ
１５　大径管接続口
１６　小径管接続口
１７　ヌスミ
１８　ヌスミ
【図１】
2004081334.tif 000003
【図２】
2004081334.tif 000004
【図３】
2004081334.tif 000005
【図４】
2004081334.tif 000006